(57)【要約】【課題】送風ファンから吹出した冷却風を効率よく中央加熱コイルに送風して冷却する。【解決手段】上部にプレート３を備え、本体２内には、プレート３の下面に設け前方両側に配置された右加熱コイル１１ａと左加熱コイル１１ｂと中央後方側に配置された中央加熱コイル１１ｃと、各々の加熱コイル１１へ電力を供給し調理鍋１００の加熱を制御する制御回路１５０と冷却風を送風する送風ファン１２とを内蔵し中央加熱コイル１１ｃの下面に側面１４ｃを位置する基板ケース１４と、中央加熱コイル１１ｃの下面に設け中央加熱コイル１１ｃの中央部側の下面に冷却風Ｄ１を送る穴６０ｂと、穴６０ｂと連通した受取口６０ａとを有した冷却ケース６０とを備え、基板ケース１４の側面１４ｃには、中央加熱コイル１１ｃの下面の下に送風ファン１２からの冷却風Ｄを噴出させる吹出口を設け、吹出口１４ｓと受取口６０ａとは隙間２０１を設け正対して配置した。【選択図】  図８
2013097933.tif 000002
【特許請求の範囲】
【請求項１】
上部に設けたプレートと、
該プレートの下面の右前方に設けた右加熱コイルと、
前記プレートの下面の左前方に設けた左加熱コイルと、
前記プレートの下面の中央後方に設けた中央加熱コイルと、
各々の加熱コイルへ電力を供給し加熱を制御する制御回路と、
冷却風を送風する送風ファンと、
前記制御回路と前記送風ファンを内蔵した基板ケースと、
前記中央加熱コイルに冷却風を供給する冷却ケースと、を備え、
前記中央加熱コイルの下方には、前記基板ケースの側面に設けられた吹出口と、前記冷却ケースに設けられた受取口が、隙間を設けて正対して配置されており、
前記基板ケースに設けられた吹出口からの冷却風は、前記受取口を介して前記冷却ケースに導かれ、該冷却ケースの上面に設けられた穴から出て、前記中央加熱コイルの中央部下面を冷却することを特徴とする誘導加熱調理器。
【請求項２】
本体の上部に調理鍋を載置するプレートを備え、
前記本体内には、前記プレートの下方に設け前方両側に配置された右加熱コイルと左加熱コイルと中央後方側に配置された中央加熱コイルと、
前記各々の加熱コイルへ電力を供給し前記調理鍋の加熱を制御する制御回路と、冷却風を送風する送風ファンと、を内蔵し、前記中央加熱コイルの下方に側面を位置する基板ケースと、
前記中央加熱コイルの下方に設け、該中央加熱コイルの中央部側の下面に冷却風を送る穴と、該穴と連通した受取口とを有した冷却ケースと、
を備え、
前記基板ケースの前記側面には、前記中央加熱コイルの下面に前記送風ファンからの冷却風を噴出させる吹出口を設け、
前記吹出口と前記受取口とは隙間を設け正対して配置したことを特徴とする誘導加熱調理器。
【発明の詳細な説明】
【技術分野】
【０００１】
本発明は、３口ＩＨ加熱で中央加熱コイルの冷却風路を備える誘導加熱調理器に関するものである。
【背景技術】
【０００２】
誘導加熱調理器は、高周波電流を誘導加熱コイルに流して発生させた磁力線が、金属製鍋を通過する際、鍋底に生じる渦電流によるジュール熱を利用して加熱調理を行うものである。誘導加熱調理器では、誘導加熱コイルや誘導加熱コイルを制御する制御基板上の電子部品が発熱するため、一般的に、送風機から冷却風を送風して誘導加熱コイルや制御基板を冷却している。
【０００３】
この誘導加熱調理器には、キッチンキャビネットに組込むものは、左右手前と中央奥の３口型で、そして、中央奥の鍋載置部の下にはラジアントヒータでなく加熱コイルを配置して誘導加熱するものが増えている。
【０００４】
そのため、送風ファンを備え加熱コイルと加熱コイルの駆動回路を搭載した基板を冷却するものがあり、一例として、以下の特許文献に記載されたものが知られている。
【０００５】
特許文献１に記載されたものは、送風ファンから送風された冷却風を略Ｕ字状に風路を構成して誘導加熱コイル中央を冷却するものであった。
【先行技術文献】
【特許文献】
【０００６】
【特許文献１】特開２００８−２７７３９号公報
【発明の概要】
【発明が解決しようとする課題】
【０００７】
特許文献１に示した誘導加熱調理器は、風路を略Ｕ字状に構成しているため冷却風を送風する抵抗が大きく効率よく冷却ができなかった。
【課題を解決するための手段】
【０００８】
本発明の誘導加熱調理器は、上記の課題を解決するためになされたものであり、上部に設けたプレートと、該プレートの下面の右前方に設けた右加熱コイルと、前記プレートの下面の左前方に設けた左加熱コイルと、前記プレートの下面の中央後方に設けた中央加熱コイルと、各々の加熱コイルへ電力を供給し加熱を制御する制御回路と、冷却風を送風する送風ファンと、前記制御回路と前記送風ファンを内蔵した基板ケースと、前記中央加熱コイルに冷却風を供給する冷却ケースと、を備え、前記中央加熱コイルの下方には、前記基板ケースの側面に設けられた吹出口と、前記冷却ケースに設けられた受取口が、隙間を設けて正対して配置されており、前記基板ケースに設けられた吹出口からの冷却風は、前記受取口を介して前記冷却ケースに導かれ、該冷却ケースの上面に設けられた穴から出て、前記中央加熱コイルの中央部下面を冷却するものである。
【発明の効果】
【０００９】
本発明によれば、送風ファンから吹出した冷却風を効率よく中央加熱コイルに送風して冷却ができる。
【図面の簡単な説明】
【００１０】
【図１】一実施例に係る誘導加熱調理器（操作部は開放状態）をキッチンキャビネットに収納した状態の斜視図である。
【図２】図１のＡ−Ａ断面図（操作部は閉鎖状態）である。
【図３】一実施例に係る誘導加熱調理器の操作部ケースに操作部を閉鎖した時の斜視図である。
【図４】同誘導加熱調理器の本体の空間通路の説明図である。
【図５】同誘導加熱調理器をプレート部と上面操作部を外した状態の上面説明図である。
【図６】同誘導加熱調理器をプレート部と加熱コイルを外した状態の上面説明図である。
【図７】同誘導加熱調理器の基板ケースの説明図である。
【図８】同誘導加熱調理器の仕切り板に載置する冷却ケースの説明図である。
【図９】同誘導加熱調理器の冷却ケースの説明図である。
【図１０】同誘導加熱調理器の仕切り板に載置する左冷却ケースの説明図である。
【発明を実施するための形態】
【００１１】
以下、本発明の実施例を図１から図１０に従って説明する。
【００１２】
図１、図２において、加熱調理器の本体２は、キッチンキャビネット１の上面から落とし込んで設置され、設置後はオーブン（ロースター）４と操作部５と電源スイッチ１９がキッチンキャビネット１の前面部から操作できるようになっている。
【００１３】
キッチンでは、キッチンキャビネット１に嵌め込んだ本体２の後側の上方には換気装置２００が設けられている。換気装置２００は、調理を行う時に動作させて水分を含む湯気や油煙などを室外へ排気して換気する。
【００１４】
調理を行う際の被加熱物である調理鍋１００は、本体２の上面に配置され耐熱ガラス等からなるプレート３上に載置され、プレート３の周囲端面は、プレート枠２０によって保護されて被加熱物を載置するプレート部５１を成している。
【００１５】
プレート３には載置部６が描かれており、該載置部６に調理鍋を載置することにより調理可能となる。載置部６は、プレート３の上面手前の右に載置部右６ａ、左に載置部左６ｂが配置され、これら両載置部６ａ、６ｂ間の奥（中央後部）に載置部中央６ｃが配置されている。そして、プレート３の各載置部６の下部に位置し本体２内の上部に配置して、調理鍋１００を加熱するための加熱手段である加熱コイル１１が設置されている。
【００１６】
プレート部５１を外した図５に示すように、前部側加熱コイル１１ｄは、右加熱コイル１１ａと左加熱コイル１１ｂで、載置部右６ａには右加熱コイル１１ａ、載置部左６ｂには左加熱コイル１１ｂを対応して配置する。載置部中央６ｃには中央加熱コイル１１ｃを対応して配置する。
【００１７】
右加熱コイル１１ａ、左加熱コイル１１ｂは各３ｋＷ、中央加熱コイル１１ｃは２ｋＷの誘導加熱の出力である。鉄、ステンレスだけでなく非磁性金属の調理鍋１００も誘導加熱するものでも良い。
【００１８】
また、中央加熱コイル１１ｃには下面に流れてくる冷却風を中央加熱コイル１１ｃの上面側（加熱コイル１１とプレート３との間）に流すための開口部３００（中央部に設けた開口部３００ａと二重コイルの間に設けた開口部３００ｂ）が設けられている。但し、中央部に設けた開口部３００ａのみでも良い。
【００１９】
再び、図１、図２において、また、プレート３の前面側には、上面操作部９とその奥側に位置する上面表示部１０が設けられている。上面操作部９は、主に加熱コイル１１の火力や加熱時間の設定を行い、上面表示部１０に前記上面操作部９にて設定された情報の表示を行う。
【００２０】
本体２の前面左側に配置されたオーブン４は、魚や肉、ピザ等の被加熱物を焼くためのもので、開口部はドア４ａで塞がれる。なお、本実施例ではオーブン４を本体２の前面左側に設けたが、前面右側に設ける構成としても良い。また、オーブンは、呼び名としてロースター、グリルと呼ぶこともある。オーブン４の隣側には、前面パネル１８と電源スイッチ１９とその下方に主にオーブン４の調理条件を設定する操作部５が設けられている。１７は操作部ケースで、操作部５を閉鎖した時に、操作部５を収納できるように本体２の前面内側に設けている。操作部５は所謂カンガルーポケット式収納の操作部５である。
【００２１】
図１は操作部５を開放した状態を示し、図２は操作部５を閉鎖した状態を示す。５ａは操作面で、被加熱物を調理する火力や加熱時間、メニューの選択など調理条件の設定と表示をして、操作部５を開放した時に使用者から操作しやすい上面部に設けている。５ｂは操作部前面パネルで、操作部５を閉鎖した時に前面パネル１８と同一面になるので、意匠的に前面パネル１８と共に配慮されている。
【００２２】
制御回路１５０は、加熱コイル１１に電力を供給するインバータ基板１５や、加熱コイル１１やオーブン４の加熱を制御する制御基板１３である。１６は放熱フィンで、発熱する電子部品に取り付け、後述の送風ファン１２から送風された風によって効率よく熱交換するためのものである。１４は基板ケースで、制御基板１３とインバータ基板１５を覆い、後述の送風ファン１２から送風される風を効率よく制御基板１３とインバータ基板１５に送るためのものである。１３は制御基板で、設定された調理条件（火力や加熱時間）に応じて加熱コイル１１に供給する電源や後述するオーブン４の加熱部（図示無し）を制御するものである。
【００２３】
本体２の内部には、発熱部品である加熱コイル１１や、制御回路１５０の電子部品を冷却するため、後述の吸気口７より吸い込んだ空気を本体２内に送風する冷却手段である送風ファン１２を制御回路１５０より後方に配置して設けている。本実施例では送風ファン１２は本体２の右後部に配置している。
【００２４】
送風ファン１２の吸込部１２ａは、後述する基板ケース１４の後方側で本体２の後方側に設けた後方空間５０に設けられている。後方空間５０は、この空間を構成している本体２の背面部２ｂには外気を吸引するために開口されている後吸気口７ａと、後述する空間通路９０を経て本体２前側に設けられている後述する前吸気口７ｂと、送風ファン１２の吹出し部１２ｂとが空間で結ばれ、他は略密閉空間を構成している。そのため、送風ファン１２が動作すると、送風ファン１２の吸込部１２ａから後方空間５０内の空気を吸引して吹出し部１２ｂから排出して基板ケース１４に送風される。そして、後方空間５０内の空気が基板ケース１４に送風されると、後方空間５０の内部は負圧になり、後方空間５０と連通する後吸気口７ａと前吸気口７ｂから外気を吸引する。基板ケース１４内の制御回路１５０に搭載されている電子部品を冷却する。
【００２５】
７は外気を本体２内に吸い込む吸気口で、本体２の背面部２ｂの右側に、送風ファン１２の駆動によって外気を吸引する一方の吸気口７である後吸気口７ａが設けられている。後吸気口７ａは背面部２ｂの垂直部２ｂ１と傾斜部２ｂ２に渡ってパンチング穴により細かい通気穴を設け、送風ファン１２の吸込部１２ａより後方に接近して設けられている。後吸気口７ａからは、キッチンキャビネット１内部の空気を吸気する。
【００２６】
他方の吸気口７が本体２前側の操作部ケース１７に設けられている前吸気口７ｂである。前吸気口７ｂについて、操作部ケース１７に操作部５を閉鎖した状態の斜視図である図３を用いて説明する。操作部ケース１７のヒンジ部３１の奥側に、横に間口が広く下向きに開口し複数の桟７ｃを有した前吸気口７ｂが設けられている。複数の桟７ｃは、紙屑など大きなゴミや割り箸など異物を差し込んだり、指が入ったりすることを防止する。更に、キッチンキャビネット１の前面から見て操作部ケース１７の前吸気口７ｂに吸気によって付着する埃を確認でき、掃除できるものである。
【００２７】
操作部５の前面下端５ｂ１と操作部ケース１７の前面下端１７ｂにヒンジ部３１を設けるので、操作部５を開いても操作部前面パネル５ｂがヒンジ部３１より下側に垂れないので、前吸気口７ｂは、吸気する面積が減らずに吸気が確保できる。
【００２８】
前吸気口７ｂからの経路について説明する。操作部ケース１７の後方の基板ケース１４を切断して本体２の前側から見た断面を示した図４において、基板ケース１４の底面１４ａと本体２の底面２ａと、基板ケース１４の底面１４ａ外側と本体２の底面２ａとの間に空間を設けるために２個の仕切り板１４ｂを隔てて設けた空間通路９０が構成されている。この空間通路９０は、前吸気口７ｂから吸引した空気を後方空間５０に導く風路である。空間通路９０の断面積を広くして抵抗を少なくするために、補強ビード２ａ１は、幅方向でなく奥行き方向に伸びる形状として外側に凸形状となるように限定して設けている。
【００２９】
空間通路９０が設けられた位置は、本体２の中で１番温度上昇の少ない箇所であり、本体２前から吸引した冷却用の空気の温度を無駄に加温されること無く後方空間５０まで導くことが可能である。また、冷却風を基板ケース１４の底面１４ａに沿って流すことで、基板ケース１４内の温度上昇を和らげる働きもある。
【００３０】
空間風路９０は、基板ケース１４の底面１４ａと、基板ケース１４の底面１４ａに設けられた仕切り板１４ｂと本体２の底面２ａに囲まれて構成することで、空気通路９０を流れる空気が本体２内へ直接に洩れないようにしている。そのため、前吸気口７ｂから吸気した空気は、操作部５の周囲を常時通過することなく空間通路９０へ流れるため、操作部５が汚れないで保てる。
【００３１】
再び図１、図２によって説明する。８は送風ファン１２により送風した空気を本体２内から排出する排気口である。本体２の制御回路１５０より上方後方で、プレート３の後方のプレート枠２０上面には、右側の排気口８ａと左側の排気口８ｂが設けられている。発熱部品である加熱コイル１１や制御回路１５０の電子部品を冷却した後の廃熱は、本体２に設けられたプレート３の後方のプレート枠２０の排気口８から上方へ排出する。左側の排気口８ｂからはオーブン４の廃熱も排出される。排気口８の上部には、異物侵入を防止するための排気カバー５５が着脱可能に載置される。
【００３２】
ここで基板ケース１４からの風の流れる経路について、本体２組立時に内側となる基板ケース１４の左側から見た図７において説明する。前記したように基板ケース１４の後部の送風ファン収容部１４ｗには送風ファン１２を備え、基板ケース１４の内部には送風ファン収容部１４ｗの前側に送風ファン１２の吹出し部１２ｂが位置する。そして、基板ケース１４の側面１４ｃに送風ファン１２の吹出し部１２ｂの近傍に開口する吹出口１４ｓを設けている。吹出口１４ｓは側面１４ｃの一部を切り欠いた形状で設けられている。吹出口１４ｓは後述の中央加熱コイル１１ｃ（図５）の下面の下に配置し、中央加熱コイル１１ｃ（図５）への送風路となる後述の冷却ケース６０（図８）の下方に吹出口１４ｓに対向させて設ける受取口６０ａ（図８）に正対させている。
【００３３】
また、吹出口１４ｓと受取口６０ａとの間に特定の隙間２０１を開けるために基板ケース１４と冷却ケース６０とは特定の距離を開けて取り付けている。
【００３４】
送風ファン１２の吹出し部１２ｂの近傍に設けた吹出口１４ｓから放出する空気の温度は、送風ファン１２の吸込部１２ａ周囲の後方空間５０及び前吸気口７ｂから吸い込む室内空気と略同じ温度の空気である。
【００３５】
また、側面１４ｃの前側には、制御回路１５０を冷却した風を後述の左冷却ケース８０へ送風する開口部１４ｖを備える。
【００３６】
次に、プレート部５１と加熱コイル１１を外した状態を示す図６において説明する。本体２の右側に基板ケース１４を配置し、左側はオーブン４でオーブン４は、断熱と構造部品を支える目的の仕切り板７０で上側と右側が囲まれている。その仕切り板７０上の手前に左冷却ケース８０を備える。また、左冷却ケース８０の奥側には冷却ケース６０を備える。
【００３７】
前記した基板ケース１４の吹出口１４ｓと関連する本体２奥側の冷却ケース６０について、左冷却ケース８０を外した冷却ケース６０の図８を用いて説明する。
【００３８】
冷却ケース６０は、仕切り板７０と基板ホルダＢ７２に載置するコイル基板７３の上に設け、冷却ケース６０の上には中央加熱コイル１１ｃを載置して穴６０ｂから冷却風を放出して中央加熱コイル１１ｃを冷却する。また、穴６０ｂの周囲には、前記冷却風を中央加熱コイル１１ｃに効率よく冷却風を通すために冷却筒６０ｄが設けられている。
【００３９】
冷却ケース６０の前側に設けた開口部６０ｃには前記した左冷却ケース８０からの風が流入してコイル基板７３を冷却する。
【００４０】
冷却ケース６０の右側で下方に設けて開口する受取口６０ａは本体２の右側に配置する基板ケース１４の吹出口１４ｓに対向させて設けている。そして、基板ケース１４の吹出口１４ｓから放出された冷却風Ｄを受取口６０ａで受け取り、流入した冷却風Ｄを奥側と上方へ案内する案内壁６０ｆ（図９）と前方からの流れに衝突させて上方へ案内する案内壁６０ｅによって上方へ案内して、穴６０ｂから放出して、冷却ケース６０上の中央加熱コイル１１ｃを冷却する。
【００４１】
図６において、基板ケース１４の上には右加熱コイル１１ａを載置して、開口穴群１４ｕから冷却風を放出して右加熱コイル１１ａを冷却する。
【００４２】
そして、内蔵する制御回路１５０に搭載されている電子部品を冷却した冷却風が図７に示す基板ケース１４の側面１４ｃの開口部１４ｖから放出される。その冷却風が左冷却ケース８０に流入し、左冷却ケース８０の上に載置する左加熱コイル１１ｂを開口穴群８０ａから冷却風を放出して左加熱コイル１１ｂを冷却する。開口穴群８０ａは後述の穴群８１ｂ（図１０）と異形穴８１ｄ（図１０）により構成する。
【００４３】
図１０は、左冷却ケース８０の冷却風の流入部を示す構成図で、左加熱コイル１１ｂと図６に示す上面操作部９と上面表示部１０を支える操作部ケース１７を外している。左冷却ケース８０は、左加熱コイル１１ｂの真下に設けたコイル下ダクト８１と手前側の略Ｌ型のフウドウ８２で成る。手前側の略Ｌ型のフウドウ８２の下にはキバンホルダ８３に載置して上面操作部９と上面表示部１０と接続するＡ基板８４を備える。Ａ基板８４は、フウドウ８２を取り外すと取り外せる。
【００４４】
フウドウ８２とＡ基板８４で開口部８２ａを成し開口部８２ａから流れる冷却風はＡ基板８４を冷却した後、コイル下ダクト８１上面の周状に配列する穴群８１ｂへと流れ、噴流となって左加熱コイル１１ｂの下側を冷却する。
【００４５】
また、略コの字型に成形されたコイル下ダクト８１の開口側端部と仕切り板７０で開口部８１ｃを成し開口部８１ｃから流れる冷却風は、大半は左冷却ケース８０上面の異型穴８１ｄへと流れ、左加熱コイル１１ｂの中央部と上面部を冷却し、一部が奥に隣接する冷却ケース６０に流れる。
【００４６】
前記した開口部８２ａと開口部８１ｃは、図７に示す基板ケース１４の側面１４ｃの開口部１４ｖに対向して配置して、基板ケース１４から冷却風が流れ込む。
【００４７】
本実施例は、以上の構成からなり、次に、その動作について説明する。
【００４８】
調理をするときには、換気装置２００を駆動して排気をする。プレート３の載奥部中央６ｃに調理鍋１００を載置して、中央加熱コイル１１ｃで誘導加熱する場合は、電源スイッチ１９で電源を入れ、上面表示部１０で表示を確認しながら上面操作部９で操作して、温度や火力を設定して、加熱の開始を操作する。
【００４９】
加熱を始めると、制御回路１５０で中央加熱コイル１１ｃが制御されて、調理鍋１００を加熱する。また、送風ファン１２が回転して後吸気口７ａと前吸気口７ｂから冷却用の空気を吸気する。前吸気口７ｂより吸気した空気は、基板ケース１４の下に設けられた空間通路９０を通過する時に、元々温度上昇の低い基板ケース１４の底面１４ａを冷却し、基板ケース１４に収納されている制御回路１５０の電子部品の温度上昇を緩和する。
【００５０】
また、後吸気口７ａから吸引するキッチンキャビネット１内の空気は、長時間誘導加熱調理器を使用することで多少温度上昇してしまう。しかし、送風ファン１２の吸込部１２ａ近傍で前吸気口７ｂより吸気した温度上昇の少ない空気と混合することで温度が低下し、キッチンキャビネット１内に留まっていたときの空気の温度より低い空気が送風ファン１２によって基板ケース１４内に送風される。
【００５１】
基板ケース１４内に送風ファン１２によって送風された冷却風によって、基板ケース１４内の圧力が高まると同時に基板ケース１４に設けられた吹出口１４ｓや開口部１４ｖから冷却風が噴出し始め、冷却風が流れ始める。吹出口１４ｓから放出された冷却風Ｄは、受取口６０ａに流れ込む冷却風Ｄ１と隙間２０１から流れる冷却風Ｄ２に分かれる。そして、受取口６０ａに流れ込んだ冷却風Ｄ１は、流入した冷却風Ｄ１を奥側と上方へ案内する案内壁６０ｆと前方からの流れに衝突させて上方へ案内する案内壁６０ｅによって上方へ案内して、冷却筒６０ｄの内側の穴６０ｂから放出して、冷却ケース６０上の中央加熱コイル１１ｃの中央部側の下面と開孔部３００を通過して中央加熱コイル１１ｃの上面側も冷却する。また、隙間２０１から流れる冷却風Ｄ２は冷却筒６０ｄのより外側に位置する中央加熱コイル１１ｃの外周側の下面を冷却する。
【００５２】
中央加熱コイル１１ｃの下面、上面を冷却した風は、排気口８へ流れる。
【００５３】
同時に、送風ファン１２によって基板ケース１４内に送風されて、制御回路１５０に搭載する電子部品を冷却する。そして、電子部品を冷却した風は、基板ケース１４上面１４ｙの開口穴群１４ｕから右加熱コイル１１ａに流れる。また、他方は開口部１４ｖに対向して配置した左冷却ケース８０に流れる。右加熱コイル１１ａの下面、上面を冷却した風は、排気口８へ流れる。
【００５４】
そして、開口部１４ｖから左冷却ケース８０のフウドウ８２を通ってＡ基板８４を冷却し、コイル下ダクト８１に流れ、穴群８１ｂから噴出して左加熱コイル１１ｂを冷却する。また、開口部１４ｖから直接コイル下ダクト８１に流れた風は異形穴８１ｄから放出して左加熱コイル１１ｂを冷却する。左加熱コイル１１ｂの下面、上面を冷却した風は、排気口８へ流れる。また、コイル下ダクト８１に流れた一部の風は、冷却ケース６０に流れてコイル基板７３を冷却し、排気口８へ流れる。そして、電子部品、加熱コイルを冷却した空気は、排気口８から排気される。
【００５５】
排気は、換気装置２００までスムーズに排気され換気装置２００で換気される。この場合は、一般に操作部５は閉鎖状態で使用されている。オーブン４を使用する場合一般に操作部５は開放状態で使用されている。
【００５６】
以上本実施例によれば、送風ファン１２から吹出した冷却風を効率よく中央加熱コイル１１ｃに送風して冷却ができる。
【符号の説明】
【００５７】
１  キッチンキャビネット
２  本体
２ａ、１４ａ  底面
２ｂ  背面部
３  プレート
５  操作部
５ａ  操作面
５ｂ１、１７ａ  前面下端
７  吸気口
７ａ  後吸気口
７ｂ  前吸気口
８  排気口
１１  加熱コイル
１１ａ  右加熱コイル
１１ｂ  左加熱コイル
１１ｃ  中央加熱コイル
１１ｄ  前部側加熱コイル
１２  送風ファン
１２ａ  吸込部
１２ｂ  吹出し部
１４  基板ケース
１４ｂ、７０  仕切り板
１４ｃ  側面
１４ｓ  吹出口
１７  操作部ケース
２０  プレート枠
２６  ヒンジ
３１  ヒンジ部
５０  後方空間
５１  プレート部
６０  冷却ケース
６０ａ  受取口
６０ｂ  穴
９０  空間通路
１００  調理鍋
１５０  制御回路
２００  換気装置
２０１  隙間
３００  開孔部
Ｄ、Ｄ１  冷却風
【図１】
2013097933.tif 000003
【図２】
2013097933.tif 000004
【図３】
2013097933.tif 000005
【図４】
2013097933.tif 000006
【図５】
2013097933.tif 000007
【図６】
2013097933.tif 000008
【図７】
2013097933.tif 000009
【図８】
2013097933.tif 000010
【図９】
2013097933.tif 000011
【図１０】
2013097933.tif 000012